(57)【要約】【課題】  スライドカバーの摺動による擦り傷や汚れの問題がなく、当初の円滑な動作と外観品位を長期にわたって維持することのできる耐久性のあるスライドカバーを有したカメラを得る。【解決手段】  撮影レンズ前面を覆う閉位置と撮影レンズ前面を露呈する開位置の間を、撮影レンズの光軸と交差する方向に移動するスライドカバーが閉位置の時、カメラの外側表面の露呈する位置に、スライドカバーの内側を構成する部材と当接する当接部材を配置し、当接部材を、スライドカバーの内側を構成する部材の材料より硬い材料で形成したカメラとする。【選択図】        図３
2005221649.tif 000002
【特許請求の範囲】
【請求項１】
カメラの外側表面に位置し、撮影レンズ前面を覆う閉位置と撮影レンズ前面を露呈する開位置の間を、前記撮影レンズの光軸と交差する方向に移動するスライドカバーを有するカメラにおいて、
前記スライドカバーが前記閉位置の時、前記カメラの外側表面の露呈する位置に、前記スライドカバーの内側を構成する部材と当接する当接部材を配置し、
前記当接部材を、前記スライドカバーの内側を構成する部材の材料より硬い材料で形成したことを特徴とするカメラ。
【請求項２】
前記当接部材は、前記カメラの外側表面より突出していることを特徴とする請求項１に記載のカメラ。
【請求項３】
前記当接部材は、前記スライドカバーの移動方向と直交する方向の断面形状が、円弧状に形成されていることを特徴とする請求項１又は２に記載のカメラ。
【請求項４】
前記当接部材と前記スライドカバーの内側を構成する部材は、前記閉位置と前記開位置に関わらず当接するよう構成されていることを特徴とする請求項１〜３のいずれか１項に記載のカメラ。
【請求項５】
前記当接部材の前記撮影レンズ側の端部は、前記スライドカバーの移動方向で前記カメラの外側表面となす角が鋭角となるよう形成されていることを特徴とする請求項１〜３のいずれか１項に記載のカメラ。
【発明の詳細な説明】
【技術分野】
【０００１】
本発明は、カメラ外側表面に配置され、撮影レンズ前面を覆う位置と撮影レンズ前面を露呈する位置の間を移動可能としたスライドカバーを有するカメラに関するものである。
【背景技術】
【０００２】
携帯時に撮影レンズ等を保護したり、塵埃がカメラ内に侵入するのを防止するために、カメラの外側表面に配置され、カメラ外側表面に沿って撮影レンズ前面を覆う閉位置と撮影レンズ前面を露呈する開位置の間をスライド移動するスライドカバー（以下、バリアとも称す）を有するカメラは周知である。
【０００３】
このような、外側表面に沿って移動するスライドカバーを有したカメラは、スライドカバーを光軸方向に押圧しながら横方向にスライドさせるため、スライドカバーの内側の面又はスライドカバー端部とカメラ外表面がこすれ合って擦り傷を生じることがある。このような問題を解消するために、バリア外観部を金属で形成し、このバリア外観部の内側に樹脂製のバリア受け部材を固着し、この樹脂製のバリア受け部材を、金属で形成されたカメラ本体ケース側との摺動面としたものが開示されている（例えば特許文献１参照）。
【特許文献１】特開平８−２９８３４号公報
【発明の開示】
【発明が解決しようとする課題】
【０００４】
しかしながら、上記の特許文献に記載された構造は、当初は擦り傷がなく良好であるが、バリア開閉動作を多数回繰り返すと、樹脂製のバリア受け部材が徐々に摩耗し表面状態の変化により摺動性が悪化して円滑な開閉動作ができなくなる問題がある。更にこれが進行すると、摩耗した樹脂粉がカメラ本体ケース側に付着して汚れ、外観品位が著しく低下する問題がある。即ち、耐久性に欠けるという問題を有している。
【０００５】
本発明は上記問題に鑑み、スライドカバーの摺動による擦り傷や汚れの問題がなく、当初の円滑な動作と外観品位を長期にわたって維持することのできる耐久性のあるスライドカバーを有したカメラを得ることを目的とするものである。
【課題を解決するための手段】
【０００６】
上記の課題は、以下のような構成で解決される。
【０００７】
１）  カメラの外側表面に位置し、撮影レンズ前面を覆う閉位置と撮影レンズ前面を露呈する開位置の間を、前記撮影レンズの光軸と交差する方向に移動するスライドカバーを有するカメラにおいて、前記スライドカバーが前記閉位置の時、前記カメラの外側表面の露呈する位置に、前記スライドカバーの内側を構成する部材と当接する当接部材を配置し、前記当接部材を、前記スライドカバーの内側を構成する部材の材料より硬い材料で形成したことを特徴とするカメラ。
【０００８】
２）  前記当接部材は、前記カメラの外側表面より突出している１）のカメラ。
【０００９】
３）  前記当接部材は、前記スライドカバーの移動方向と直交する方向の断面形状が、円弧状に形成されている１）又は２）のカメラ。
【００１０】
４）  前記当接部材と前記スライドカバーの内側を構成する部材は、前記閉位置と前記開位置に関わらず当接するよう構成されている１）〜３）のいずれかのカメラ。
【００１１】
５）  前記当接部材の前記撮影レンズ側の端部は、前記スライドカバーの移動方向で前記カメラの外側表面となす角が鋭角となるよう形成されている１）〜３）のいずれかのカメラ。
【発明の効果】
【００１２】
本発明は、以下のような効果を奏する。
【００１３】
上記１）によれば、当接部材及びスライドカバーの内側を構成する部材の双方の当接部の摩耗を軽減し、汚れがなく、当初の円滑な動作と外観品位を長期にわたり維持できる、耐久性に優れたスライドカバーを有したカメラを得ることができる。
【００１４】
上記２）によれば、当接部以外では所定の隙間を確保することにより、カメラ表面の当接部以外を形成する材質に関わることなく擦り傷の発生が防止できる
上記３）によれば、当接部材とスライドカバーの内側を構成する部材とを点接触又は線接触で当接させることができ、上記の効果に加え、円滑な動作感触を長期にわたって維持することができる。
【００１５】
上記４）によれば、常に当接部材とスライドカバーの内側を構成する部材とが当接しているため、スライドカバーの移動時の急激な負荷変動を無くすことができ、操作感触を円滑なものとすることができる。
【００１６】
上記５）によれば、スライドカバー閉位置から移動し、当接部材と当接し始める時の操作感触を円滑なものとすることができる。
【発明を実施するための最良の形態】
【００１７】
以下、実施の形態により本発明を詳しく説明するが、本発明はこれに限定されるものではない。
【００１８】
図１は、本発明に係るカメラ１００の外観を示す正面図である。同図（ａ）はスライドカバーが撮影レンズ前面を覆う閉位置にある状態を示し、同図（ｂ）はスライドして撮影レンズ前面を露呈する開位置となった状態を示している。
【００１９】
同図（ａ）において、１１は前面カバーであり、アルミニウム、ステンレス等の金属材料で略矩形の箱状に形成されており、この前面カバー１１は内側で樹脂製のカバーベースに支持されている。１２はスライドカバーであり、このスライドカバー１２は前面カバー１１上を図示左側へスライドし、同図（ｂ）に示す状態になる。スライドカバー１２は同図に示された外観部は樹脂材料で形成され、内側にはスライドのために構成された金属部材を備えている。１３はストラップ取り付け部、１４は本発明に係る当接部材であり、スライドカバーの移動方向が長手方向になるように配置されている。
【００２０】
同図（ｂ）において、１５はレリーズ釦、１６は撮影レンズ、１７はファインダ窓、１８はフラッシュ発光部、１９はフラッシュ光を調光するための調光用受光部である。
【００２１】
同図（ａ）、（ｂ）に示すように、スライドカバー１２の閉位置では本発明に係る当接部材１４はカメラの外側表面に露呈しており、スライドカバー１２の開位置では当接部材１４はスライドカバー１２に覆い隠された状態となる。
【００２２】
図２は、スライドカバー１２の移動機構の概要を示す図である。同図（ａ）はスライドカバー１２の閉位置の状態を示し、同図（ｂ）はスライドカバー１２の開位置の状態を示している。なお本図においては前面カバー１１は省略してある。以下の図においては、説明の重複を避けるため、同機能部材には同符号を付与して説明する。
【００２３】
同図（ａ）において、２１はカバーベースであり、前面カバー１１の内側に配置され、前面カバー１１を支持する部材である。２２はスライドフレームであり、このスライドフレーム２２はスライドカバー１２の内側内面に位置する平坦部２２ｆと曲げ加工された腕部２２ｋを有しコの字形状であり、更に、この腕部２２ｋには支持部２２ｒが形成されている。この支持部２２ｒの端部２箇所に係合ピン２２ｐが植設されている。腕部２２ｋと支持部２２ｒは長孔部２８（図１参照）を通って前面カバー１１の内側に入り込むようになっている。
【００２４】
カバーベース２１の上側面には、支持部２２ｒに植設された係合ピン２２ｐをガイドするガイド溝２１ｍが形成されており、このガイド溝２１ｍに沿って、支持部２２ｒに植設された係合ピン２２ｐが移動することにより、スライドフレーム２２及びスライドカバー１２は、撮影レンズ前面を覆う閉位置と撮影レンズ前面を露呈する開位置の間を、撮影レンズの光軸と交差する方向に移動するようになっている。
【００２５】
なお、このガイド溝２１ｍ、支持部２２ｒ、係合ピン２２ｐは、カバーベース２１の上側面のみでなく、不図示であるが下側面にも同様に設けられている。
【００２６】
また、カバーベース２１の上側面には、クリックバネ２４、回動部材２５、この回動部材２５を付勢する付勢部材２６が設けられている。同図（ａ）に示すスライドカバー１２の閉位置では、支持部２２ｒに形成された一方の突起部２２ｔがクリックバネ２４に当接して係止される。
【００２７】
この同図（ａ）に示す状態から、スライドカバー１２を図示矢印方向に操作力を加えると、クリックバネ２４の係止が解除され、ガイド溝２１ｍに沿って、支持部２２ｒに植設された係合ピン２２ｐも移動し、スライドカバー１２は図示右方向へ移動する。
【００２８】
同図（ｂ）は、スライドカバー１２が開位置まで移動した状態を示しており、支持部２２ｒに形成された他方の突起部２２ｓがクリックバネ２４に当接して係止される。この時、支持部２２ｒの先端２２ｄが回動部材２５を付勢部材２６の付勢力に抗して回動させ、不図示のスイッチを切り替えることにより、スライドカバー１２が開位置まで移動したことを検知し、カメラは撮影準備状態に移行し、各部の作動を開始する。
【００２９】
以上が、スライドカバー１２の移動機構の概要である。
【００３０】
図３は、図１（ｂ）に示すＦ−Ｆ線の位置で切断した本発明に係る当接部材１４周辺の概略断面図である。同図は、スライドカバー１２の開位置での状態を示している。
【００３１】
同図に示すように、カバーベース２１に、前面カバー１１が両面テープ又は接着剤等で固着され、このカメラの外側表面である前面カバー１１に形成された開口部から、当接部材１４が前面カバー１１の外側表面より突出して組み付けられている。
【００３２】
図示のように、当接部材１４はスライドカバーの移動方向と直交する方向の当接部断面が円弧状に形成されており、スライドカバー１２の内側内面に位置するスライドフレーム２２の平坦部２２ｆとは、断面的には点で接触し、この当接部材１４以外の前面カバー１１上では所定の隙間が形成されるように構成されている。なお、当接部材１４のスライドカバー１２の移動方向と直交する方向の当接部断面は、円弧状であることに限らず、楕円、三角形等の断面的に略点接触が可能で、全体としては略点接触もしくはスライドカバー１２の移動方向に平行な略線接触が可能な形状であればよい。この当接部材１４はステンレス材料で形成され、当接するスライドフレーム２２はリン青銅、真鍮等の銅合金の材料に潤滑メッキ等の表面処理を施したものが好ましく用いられる。
【００３３】
このように、スライドフレーム２２より硬い材料を用いて形成した当接部材１４を設け、スライドフレーム２２と積極的に当接させ、当接部以外の前面カバー１１上には所定の隙間を確保することにより、カメラ表面の当接部以外を形成する材質に関わることなく擦り傷の発生が防止できると共に、スライドフレーム２２と当接部材１４双方の当接部の摩耗を軽減し、汚れがなく、当初の円滑な動作と外観品位を長期にわたり維持できる、スライドカバーを有したカメラを得ることができる。
【００３４】
図４は、図１（ａ）に示すＧ−Ｇ線の位置で切断した本発明に係る当接部材周辺の概略断面図である。
【００３５】
同図に示すように、当接部材１４の撮影レンズ側の端部では、カメラの外側表面となす角θが鋭角となるよう、４５度以下で形成されている。この角θは、３０度以下で有れば、より好ましい。
【００３６】
このようにすることで、スライドカバー１２即ちスライドフレーム２２が同図に示す位置から、図示矢印方向の開位置へ移動し、当接部材１４と当接し始める時、滑らかにスライドフレーム２２が当接部材１４と当接するため、操作感触がより向上するようになる。
【００３７】
また、スライドフレーム２２は、プレス加工で形成する場合、プレスの返りがスライドカバー１２側に発生するように製作することが好ましく、操作感触をより向上させることができる。
【００３８】
以上説明したように、スライドカバー１２が閉位置の時、カメラの外側表面の露呈した位置に、スライドカバー１２の内側を構成する部材であるスライドフレーム２２と当接する当接部材１４を配置し、スライドフレーム２２を形成する材料より硬い材料で当接部材１４を形成することにより、当初の円滑な動作と外観品位を長期にわたり維持できる耐久性のあるスライドカバーを有したカメラを得ることができる。
【００３９】
なお、本実施の形態においては、当接部材の撮影レンズ側の端部が外側表面となす角が鋭角となるよう形成されているもので説明したが、スライドカバーの内側を構成する部材がスライドカバーの閉位置と開位置に関わらず当接するよう構成してもよく、このようにしても、スライドカバー移動時の急激な負荷変動を無くすことができ、操作感触を円滑にすることができる。
【００４０】
また、当接部材１４は、カメラの外側表面を形成する前面カバー１１より突出したもので説明したが、これに限らず、前面カバー１１と同面に配置し、スライドフレーム２２側に凸部を形成し、この凸部が当接部材１４と当接するよう構成してもよく、本発明を逸脱するものではない。
【００４１】
更に、当接部材１４をスライドフレーム２２のほぼ中央の１箇所に配置した例で説明したが、これに限らず複数箇所に配置しても本発明を逸脱するものではない。
【図面の簡単な説明】
【００４２】
【図１】本発明に係るカメラの外観を示す正面図である。
【図２】スライドカバーの移動機構の概要を示す図である。
【図３】図１（ｂ）に示すＦ−Ｆ線の位置で切断した本発明に係る当接部材周辺の概略断面図である。
【図４】図１（ａ）に示すＧ−Ｇ線の位置で切断した本発明に係る当接部材周辺の概略断面図である。
【符号の説明】
【００４３】
１１  前面カバー
１２  スライドカバー
１３  ストラップ取り付け部
１４  当接部材
１５  レリーズ釦
１６  撮影レンズ
１７  ファインダ窓
１８  フラッシュ発光部
１９  調光用受光部
２１  カバーベース
２２  スライドフレーム
２４  クリックバネ
２５  回動部材
２６  付勢部材
１００  カメラ
【図１】
2005221649.tif 000003
【図２】
2005221649.tif 000004
【図３】
2005221649.tif 000005
【図４】
2005221649.tif 000006